(57)【特許請求の範囲】
【請求項１】
線状の形状を有する線体の外周面上に装着する防護器具において、
前記線体の外周よりも長い内周を有し、内部に格納される前記線体を中心軸として自部の外周に接する接線方向の力で回転する筒状の回転部と、
前記筒状の回転部の内周面に埋設され、前記筒状の回転部の回転に伴い、前記線体を中心軸として公転し、前記線体の外周に沿って自転する球状の回転部と、
を備える防護器具。
【請求項２】
前記線体の外周と同等の内周を有し、前記線体の外周面上に固定され、前記筒状の回転部の内部に配置され、外周面が平面である筒状の固定部、
を更に備える請求項１に記載の防護器具。
【請求項３】
前記筒状の固定部は、
一方の端部に凸部を備えるとともに他方の端部に凹部を備え、前記凸部を他の筒状の固定部の端部に備わる凹部と接合して一列に連結可能である請求項２に記載の防護器具。
【請求項４】
前記筒状の回転部には、
自部に接触する接触体との摩擦力を大きくし又は小さくする形状又は処理が外周面上の表面に施されている請求項１乃至３のいずれかに記載の防護器具。
【発明の詳細な説明】
【技術分野】
【０００１】
本発明は、防護器具に関するものである。
【背景技術】
【０００２】
サル、トリ、リス等の鳥獣類は、電柱に架設された電話線等の電気設備を毀損させる。例えば、トリが鋭利な爪で電話線を把持して留まることで、表面や内部の絶縁体に傷を与え、内部の導体が露出する。その後、電話線内に侵入した雨水の影響により導体が腐食し、その腐食が進行することで導体が破断する。その結果、供給中の通信サービスを一時中断して電話線を交換する等、通信事業者に重大な被害が発生する。この対策として、非特許文献１を適用することが考えられる。非特許文献１では、小動物等の接触から伝送路ケーブルを保護するためのケーブル保護カバーを開示する。
【先行技術文献】
【非特許文献】
【０００３】
【非特許文献１】“ケーブル保護カバーＢ型”、［2019年10月8日］、インターネット＜URL : http://www.yotsugi.co.jp/products/detail/87＞
【発明の概要】
【発明が解決しようとする課題】
【０００４】
しかしながら、非特許文献１の保護カバーは、単なるケーブルの被覆手段にすぎないため、その保護カバーの上をトリが渡り、更には滞留可能である。それ故、ケーブルを確実に保護することは難しい。
【０００５】
本発明は、上記に鑑みてなされたものであり、鳥獣類から電気設備を防護することを目的とする。
【課題を解決するための手段】
【０００６】
上記課題を解決するため、本発明の防護器具は、線状の形状を有する線体の外周面上に装着する防護器具において、前記線体の外周よりも長い内周を有し、内部に格納される前記線体を中心軸として自部の外周に接する接線方向の力で回転する筒状の回転部と、前記筒状の回転部の内周面に埋設され、前記筒状の回転部の回転に伴い、前記線体を中心軸として公転し、前記線体の外周に沿って自転する球状の回転部と、を備える。
【発明の効果】
【０００７】
本発明によれば、鳥獣類から電気設備を防護できる。
【図面の簡単な説明】
【０００８】
【図１】本実施形態に係る防護器具の正面図である。
【図２】図１の防護器具におけるＡ−Ａ’の断面図及び側面図である。
【図３】図１の防護器具の使用例を示す図である。
【図４】防護器具の第１変形例を示す図である。
【図５】防護器具の第２変形例を示す図である。
【図６】第２変形例の防護器具の連結例を示す図である。
【図７】第３変形例の防護器具の連結例を示す図である。
【発明を実施するための形態】
【０００９】
以下、本発明を実施する一実施形態について図面を用いて説明する。
【００１０】
［防護器具の構成及び使用方法］
図１は、本実施形態に係る防護器具の正面図である。図２は、図１の防護器具におけるＡ−Ａ’の断面図及び側面図である。図３は、図１の防護器具をケーブル１００で使用した場合の使用例を示す図である。この防護器具は、ケーブル１００の外周面上に装着される防護器具であり、図１に示すように、筒状の固定部１と、筒状の回転部２と、複数の球状の回転部３と、を備える。
【００１１】
筒状の固定部１は、ケーブル１００の外周と同等の内周を有し、ケーブル１００の外周面上に固定され、筒状の回転部２の内部に配置される円筒形の筒体である。筒状の固定部１の外周面は、平面又は平滑面であり、ケーブル１００の外周面の曲面（筒の側表面）に沿った曲面でもある。
【００１２】
筒状の固定部１は、図１及び図３に示したように長手方向（ｙ軸方向）の側面に沿って直線状の開口部１０を備え、その開口部１０からケーブル１００を内部に挿入して、そのケーブル１００を自身で把持して自身の位置及び動きを固定する。つまり、筒状の固定部１は、腹割り構造を備え、側面の切れ込みからケーブル１００を差し込み、そのケーブル１００を内側面で押圧することで自身の位置を固定する。それ故、筒状の固定部１の内周は、防護対象であるケーブル１００の外周と概ね同じ長さに設計される。つまり、筒状の固定部１の短手方向の内側の直径（又は半径）は、ケーブル１００の短手方向の直径（又は半径）と概ね同じ長さに設計される。
【００１３】
このような筒状の固定部１は、筒状の回転部２の回転力を維持・向上するために用いられる。一般にケーブル１００の外周面には凹凸形状や段差があり、筒状の回転部２のみをケーブル１００の外周面上に配置しても上手く回転しない可能性が高い。そこで、筒状の固定部１をケーブル１００の外周面に固定することで、ケーブル１００の凹凸形状及び段差を確実に吸収し、筒状の回転部２の回転力を維持・向上する。
【００１４】
尚、筒状の固定部１として代替可能な代替手段がケーブル１００に既に存在する場合、その代替手段を流用してもよい。例えば、ケーブル１００に枝木接触防止用の保護カバーが既に設けられている場合、筒状の固定部１を新たに用意するのに代えて、その枝木接触防止用の保護カバーを筒状の固定部１として流用してもよい。
【００１５】
また、ケーブル１００の外周面に凹凸形状又は段差がない場合、つまり、筒状の固定部１がなくても筒状の回転部２の回転力を維持できると判断できる場合、筒状の固定部１を積極的に用いなくてもよい。
【００１６】
筒状の回転部２は、筒状の固定部１よりも一回り大きく、ケーブル１００や筒状の固定部１の外周よりも長い内周を有する円筒形の筒体である。つまり、筒状の回転部２の短手方向の内側の直径（又は半径）は、ケーブル１００又は筒状の固定部１の短手方向の直径（又は半径）よりも長い長さに設計される。
【００１７】
筒状の回転部２は、内部に格納されるケーブル１００及び筒状の固定部１を中心軸として、自部の外周に接する接線方向の力で回転する。具体的には、筒状の回転部２は、表面（曲面）の円周に接する接線方向の力で回転する。つまり、筒状の回転部２は、図１及び図３に示したように長手方向の側面に沿って直線状の開口部２０を備え、その開口部２０からケーブル１００を内包した筒状の固定部１を内部に挿入して、その筒状の固定部１の外周面の周りを回転する。即ち、筒状の回転部２は、筒状の固定部１と同様に腹割り構造を備え、側面の切れ込みから筒状の固定部１及びケーブル１００を差し込み、その外周を回転する。
【００１８】
球状の回転部３は、筒状の回転部２の内周面に埋設される回転体である。球状の回転部３は、筒状の回転部２の回転に伴い、ケーブル１００及び筒状の固定部１を中心軸として公転し、ケーブル１００及び筒状の固定部１の外周に沿って自転する。つまり、球状の回転部３は、筒状の固定部１の外周に接触しながら回転する。
【００１９】
筒状の回転部２の内周面には、所定の位置に、筒状の回転部２を埋設するための半球状の半球孔又は３／４球体状の略球形孔が形成されている。球状の回転部３は、その所定の位置に形成された半球孔又は略球形孔に埋設される。例えば、図１に示したように、４つの球状の回転部３を筒状の回転部２の一方の端部に９０度毎に埋設するとともに、図２に示したように、他方の端部にも４つの球状の回転部３を９０度毎に埋設する。球状の回転部３は、筒状の回転部２の内周面において、一方の端部のみ、中央（非両端部）、２次元状（マトリクス状）、千鳥状等に埋設してもよい。
【００２０】
尚、球状の回転部３は、自身内部の軸孔に挿入された軸芯４で自身の位置が固定される。軸芯４の両端は、上記半球孔又は略球体孔の孔枠の縁溝に嵌合される。但し、略球形孔の場合、その内部に埋設された球状の回転部３はボール式マウスのボールように略球形孔内に留まるので、軸芯４はなくてもよい。
【００２１】
筒状の固定部１、筒状の回転部２、球状の回転部３は、任意の素材で形成される。筒状の固定部１は、筒状の回転部２及び球状の回転部３の回転力を維持・向上するために例えば弾性体であることが好ましい。筒状の回転部２及び球状の回転部３は、長期間利用可能とするために例えば金属で形成してもよいが、設置重量を軽減するために例えばプラスチックであることが好ましい。
【００２２】
次に、防護器具の使用方法について説明する。
【００２３】
まず、防護対象であるケーブル１００を特定し、そのケーブル１００を開口部１０から筒状の固定部１の内部に挿入する。最後に、その筒状の固定部１を開口部２０から筒状の回転部２の内部に挿入する。
【００２４】
この筒状の回転部２の外周面上に例えばトリが乗ると、トリ自身の重みで筒状の回転部２が筒状の固定部１の外周面の周りで回転するとともに、筒状の回転部２の内周面に埋設されている球状の回転部３も筒状の固定部１の外周面に接触しながら回転する。これにより、トリ等の鳥獣類がケーブル１００を渡り留まることを確実に防止できる。
【００２５】
尚、筒状の回転部２の回転力を高めるため、筒状の回転部２の外周面上に１つ以上の突起部を設けてもよい。中心軸（ケーブル１００の中心）から当該突起部までの距離は、その中心軸から筒状の回転部２の外周面までの距離よりも大きいので、その突起部にトリが乗ることで、筒状の回転部２の回転力が増して簡易に回転する。但し、突起部自体の重みで筒状の回転部２が回転しないように、突起部は、金属等よりも重量の軽いプラスチックであることが好ましい。
【００２６】
また、筒状の回転部２の外周面上の表面に、更には上記１つ以上の突起部の表面にも、例えば粗い突起や粗い凹凸等の表面処理を施し、表面に粗さを与えることで、その表面の摩擦係数（摩擦力）を高くしてもよい。これにより、鳥獣類が表面に触れた際の円周方向（円周に接する接線方向）に生じる力を大きくでき、接触時の回転のきっかけをよりスムーズに効率的に生じさせることができる。
【００２７】
また、前述の例とは反対に、筒状の回転部２の外周面上の表面に、更には上記１つ以上の突起部の表面にも、例えばミリメータ以下の微小な凹凸、鏡面処理、ディンプル（くぼみ）等の表面処理を施し、その表面の摩擦係数を極力小さくしてもよい。これにより、鳥獣類が表面に触れた際に当該表面を把持し難くすることができる。また、把持できたとしても筒状の回転部２が回転するので、極めて有効に鳥獣類が把持することや留まることを防止できる。
【００２８】
このように、本実施形態に係る防護器具は、ケーブル１００及び筒状の固定部１の外周よりも長い内周を有し、内部に格納されるケーブル１００及び筒状の固定部１を中心軸として、自部の外周に接する接線方向の力で回転する筒状の回転部２と、筒状の回転部２の内周面に埋設され、筒状の回転部２の回転に伴い、ケーブル１００及び筒状の固定部１を中心軸として公転し、ケーブル１００及び筒状の固定部１の外周に沿って自転する球状の回転部３と、を備えるので、鳥獣類が筒状の回転部２に乗ると筒状の回転部２が回転することから、鳥獣類がケーブル１００を渡り、留まることを防止でき、鳥獣類からケーブル１００等の電気設備を確実に防護できる。
【００２９】
また、本実施形態に係る防護器具は、筒状の固定部１が、外周面が平面であり、ケーブル１００の外周面上に固定されるので、筒状の回転部２及び球状の回転部３の回転力を維持・向上できるとともに、ケーブル１００の外周面の凹凸形状及び段差を吸収できる。それ故、鳥獣類がケーブル１００を渡り、留まることを確実に防止でき、鳥獣類からケーブル１００等の電気設備を確実に防護できる。
【００３０】
また、本実施形態に係る防護器具は、筒状の回転部２には、自部に接触する鳥獣類（接触体）との摩擦力を大きくし又は小さくする形状又は処理が外周面上の表面に施されているので、鳥獣類がケーブル１００を渡り、留まることをより確実に防止でき、鳥獣類からケーブル１００等の電気設備をより確実に防護できる。
【００３１】
［防護器具の第１変形例］
図４は、防護器具の第１変形例を示す図である。
【００３２】
上記防護器具を長期間使用した場合、暴風等の自然環境の影響により、筒状の固定部１の位置に対して筒状の回転部２の位置がズレてしまう可能性がある。この場合、筒状の回転部２の内部にはケーブル１００のみとなり、そのケーブル１００の外周面の凹凸形状や段差により筒状の回転部２の回転力が低下することが考えられる。
【００３３】
そこで、第１変形例では、図４に示すように、筒状の固定部１の長手方向（ｙ軸方向）の長さを筒状の回転部２の長手方向の長さよりも僅かに長くし、それにより筒状の回転部２の両端部からそれぞれ突出した各突出部１１に、短手方向（ｚ軸方向）で外側に突起する位置固定用の突起部１２を設ける。突起部１２は、図４のｘ−ｚ平面で見ると円形の形状を有する。但し、その円形の一部にのみ又は歯車の形状のように設けてもよい。筒状の回転部２の両端部に突起部１２をそれぞれ設けることで、筒状の固定部１の位置に対して筒状の回転部２の位置を固定でき、筒状の回転部２の回転力の低下を防止できる。
【００３４】
このように、第１変形例に係る防護器具は、筒状の回転部２の両端部に突起部１２をそれぞれ設けるので、筒状の固定部１の位置に対する筒状の回転部２の位置を固定でき、筒状の回転部２の回転力の低下を防止できる。これにより、筒状の回転部２の回転力を維持・向上でき、鳥獣類から電気設備をより確実に防護できる。
【００３５】
［防護器具の第２変形例］
第１変形例では、筒状の固定部１の位置に対して筒状の回転部２の位置を固定する方法について説明した。一方、第２変形例では、筒状の回転部２の位置にズレが生じることを許容した別の方法について説明する。
【００３６】
図５は、防護器具の第２変形例を示す図である。第２変形例に係る筒状の固定部１は、一方の端部を長手方向（ｙ軸方向）に延出して連結用の凸部１３を設けるとともに、他方の端部に連結用の凹部１４を設ける。凸部１３を構成する筒状の固定部１の厚さＤ１は、筒状の固定部１の本来の厚さＤの略１／２とする。凹部１４を構成する筒状の固定部１の厚さＤ２も、筒状の固定部１の本来の厚さＤの略１／２とする。凸部１３の外周面上には、所定の位置に、連結固定用の円錐体１５が設けられている。凹部１４の内周面上には、円錐体１５の位置に対応する位置に、連結固定用の円錐孔１６が設けられている。円錐体１５と円錐孔１６との大きさは略同一である。
【００３７】
図６は、複数の防護器具の連結例を示す図である。図５の防護器具を複数用意し、例えば、図６に示す１つ目の防護器具（左側）の凸部１３を、２つ目の防護器具（右側）の凹部１４に接合（挿入）し、当該凸部１３と当該凹部１４を互いの円錐体１５と円錐孔１６でロックする。これにより、複数の筒状の固定部１（複数の防護器具）を一列に連結（連接）する。筒状の回転部２の長手方向の長さに比して複数の筒状の固定部１の全長が十分に長くなるので、筒状の回転部２に位置ズレが生じた場合でも、筒状の回転部２はいずれかの筒状の固定部１の外周面上で回転する。これにより、筒状の回転部２の回転力を維持・向上でき、鳥獣類から電気設備をより確実に防護できる。
【００３８】
このように、第２変形例に係る防護器具は、筒状の固定部１が、一方の端部に凸部１３を備えるとともに他方の端部に凹部１４を備え、その凸部１３を他の筒状の固定部の端部に備わる凹部と接合して一列に連結可能であることから、筒状の回転部２はいずれかの筒状の固定部１の外周面上で回転できる。これにより、筒状の回転部２の回転力を維持・向上でき、鳥獣類から電気設備をより確実に防護できる。
【００３９】
［防護器具の第３変形例］
第３変形例では、第１変形例で説明した防護器具の構成と第２変形例で説明した防護器具の構成とを組み合わせた方法について説明する。
【００４０】
図７は、防護器具の第３変形例を示す図である。第３変形例に係る筒状の固定部１は、両端部に第１変形例で説明した突出部１１及び突起部１２をそれぞれ設けるとともに、一方の端部に第２変形例で説明した凸部１３及び円錐体１５を設け、他方の端部に凹部１４及び円錐孔１６を設ける。これにより、複数の筒状の固定部１を一列に連結（連接）できるとともに、筒状の回転部２を複数用いる場合であっても、一列に連結された各筒状の固定部１の位置に対して、その複数の筒状の回転部２の位置をそれぞれ固定できる。
【００４１】
このように、第３変形例に係る防護器具は、筒状の固定部１の両端部に突出部１１及び突起部１２をそれぞれ設けるとともに、一方の端部に凸部１３及び円錐体１５を設け、他方の端部に凹部１４及び円錐孔１６を設けるので、複数の筒状の固定部１を一列に連結できるとともに、一列に連結された各筒状の固定部１の位置に対して、複数の筒状の回転部２の位置をそれぞれ固定できる。これにより、筒状の回転部２の回転力を維持・向上でき、鳥獣類から電気設備を更に確実に防護できる。
【００４２】
［その他］
ケーブル１００は、線状の形状を有する線部の例であり、例えば、電柱に架設された電話線、通信線、伝送線等である。線部は、ケーブル１００以外に、例えば、電線、銅線等でもよい。
【００４３】
［効果］
本実施形態によれば、ケーブル１００の外周よりも長い内周を有し、内部に格納されるケーブル１００を中心軸として、自部の外周に接する接線方向の力で回転する筒状の回転部２と、筒状の回転部２の内周面に埋設され、筒状の回転部２の回転に伴い、ケーブル１００を中心軸として公転し、ケーブル１００線体の外周に沿って自転する球状の回転部３と、を備えるので、鳥獣類が筒状の回転部２に乗ると筒状の回転部２が回転することから、鳥獣類がケーブル１００を渡り、留まることを防止でき、鳥獣類から電気設備を確実に防護できる。
【００４４】
本実施形態によれば、ケーブル１００の外周と同等の内周を有し、ケーブル１００の外周面上に固定され、筒状の回転部２の内部に配置され、外周面が平面である筒状の固定部１を更に備えるので、筒状の回転部２及び球状の回転部３の回転力を維持・向上できるとともに、ケーブル１００の外周面の凹凸形状及び段差を吸収できる。それ故、鳥獣類がケーブル１００を渡り、留まることを確実に防止でき、鳥獣類からケーブル１００等の電気設備を確実に防護できる。
【００４５】
本実施形態によれば、筒状の固定部１が、一方の端部に凸部１３を備えるとともに他方の端部に凹部１４を備え、凸部１３を他の筒状の固定部の端部に備わる凹部と接合して一列に連結可能であるので、筒状の回転部２はいずれかの筒状の固定部１の外周面上で回転できる。それ故、筒状の回転部２の回転力を維持・向上でき、鳥獣類から電気設備をより確実に防護できる。
【００４６】
本実施形態によれば、筒状の回転部２には、自部に接触する鳥獣類との摩擦力を大きくし又は小さくする形状又は処理が外周面上の表面に施されているので、鳥獣類がケーブル１００を渡り、留まることをより確実に防止でき、鳥獣類からケーブル１００等の電気設備をより確実に防護できる。
【符号の説明】
【００４７】
１…筒状の固定部
２…筒状の回転部
３…球状の回転部
４…軸芯
１０…開口部
１１…突出部
１２…突起部
１３…凸部
１４…凹部
１５…円錐体
１６…円錐孔
２０…開口部
１００…ケーブル
【要約】
【課題】鳥獣類から電気設備を防護する。
【解決手段】ケーブル１００の外周面上に装着する防護器具において、ケーブル１００の外周よりも長い内周を有し、内部に格納されるケーブル１００を中心軸として、自部の外周に接する接線方向の力で回転する筒状の回転部２と、筒状の回転部２の内周面に埋設され、筒状の回転部２の回転に伴い、ケーブル１００を中心軸として公転し、ケーブル１００の外周に沿って自転する球状の回転部３と、を備える。
【選択図】図１【図１】
0006758469.tif 000002
【図２】
0006758469.tif 000003
【図３】
0006758469.tif 000004
【図４】
0006758469.tif 000005
【図５】
0006758469.tif 000006
【図６】
0006758469.tif 000007
【図７】
0006758469.tif 000008